(57)【要約】【課題】使い勝手の良い酸素富化機の提供を目的とする。【解決手段】本体１と、この本体内に設けた酸素富化手段１５及び酸素富化手段１５からの酸素富化空気を所定個所に供給するポンプ手段５とを備え、前記ポンプ手段５はその下部とともに側部を防振支持して本体１の底板及び側面の少なくとも一面を設置面として使用可能としたものであり、本体１を横にして設置しても、或いは本体を持ちながら使用しても、本体が大きく振動するようなことがなくなって違和感なく使用することができ、使い勝手が向上する。【選択図】図６
2005198690.tif 000002
【特許請求の範囲】
【請求項１】
酸素富化手段及び酸素富化手段からの酸素富化空気を所定個所に供給するポンプ手段を内蔵した本体の、本体底板及び本体側方の少なくとも一面を設置面として使用可能な構成とした酸素富化機。
【請求項２】
本体と、この本体内に設けた酸素富化手段及び酸素富化手段からの酸素富化空気を所定個所に供給するポンプ手段とを備え、前記ポンプ手段はその下部とともに側部を防振支持して本体の底板及び側面の少なくとも一面を設置面として使用可能とした酸素富化機。
【請求項３】
ポンプ手段の下部はバネ材からなる第１弾性手段と弾性体からなる第２弾性手段とを併用して防振支持した請求項２記載の酸素富化機。
【請求項４】
第１弾性手段又は/及び第２段弾性手段を台板と取付板とで挟んで防振ユニットを構成した請求項３記載の酸素富化機。
【請求項５】
本体の底板に防振ユニットを設置し、この防振ユニット上にポンプ手段を配設した請求項４記載の酸素富化機。
【請求項６】
ポンプ手段の側部をバネからなる第３弾性手段で防振支持した請求項１〜４のいずれか１項記載の酸素富化機。
【請求項７】
ポンプ手段を内装する内装ケースを備え、この内装ケースに開口部を形成し、この開口部より第３弾性手段を挿入してその端部をポンプ手段の側部に圧接させるととも他端を内装ケースに係合させた請求項６記載の酸素富化機。
【請求項８】
本体に外気を吸引して酸素富化手段に供給した後本体外に排気する送風手段を設けると共に、前記本体にはこの外気の吸気口及び排気口を設け、この吸気口及び排気口は前記本体の設置面となる面以外の同一面に設けた請求項２〜７のいずれか１項記載の酸素富化機。
【請求項９】
本体と、この本体内に設けた酸素富化手段及び酸素富化手段からの酸素富化空気を所定個所に供給するポンプ手段と、前記本体内に外気を吸引して酸素富化手段に供給した後本体外に排気する送風手段とを備え、前記本体にはこの外気の吸気口及び排気口を設け、この吸気口及び排気口は前記本体側方４面のうちの一面にまとめて設けることにより、本体底板及び本体側方４面のうち３面を設置面として使用可能な構成とした酸素富化機。
【請求項１０】
本体の適所にストラップ取り付け用の係止部を設けた請求項１〜９のいずれか１項記載の酸素富化機。
【請求項１１】
本体に二次電池を設け、交流電源或いは二次電池のいずれかを電源として使用可能な構成とした請求項１〜１０のいずれか１項記載の酸素富化機。
【請求項１２】
二次電池の充電用端子を備えた請求項１１記載の酸素富化機。
【請求項１３】
本体に対して引き出し自在なハンドルを設け、このハンドルと本体との間にシートベルトを通して本体を座席に固定可能な構成とした請求項１〜１２記載の酸素富化機。
【発明の詳細な説明】
【技術分野】
【０００１】
本発明は酸素富化空気を使用者に供給する酸素富化機に関するものである。
【背景技術】
【０００２】
従来この種の酸素富化機は、図１４、図１５に示すように、本体５０に酸素富化手段５１と酸素富化手段５１からの酸素富化空気を吐出手段５２に供給するポンプ手段５３を設け、この本体５０に持ち運び用のハンドル５４を設けると共に交流電源を得るための電源コードを設けて構成してある。そして使用者が電源コードを屋内のコンセントに差し込んで本体５０の電源スイッチをオンすればポンプ手段５３が運転を開始して酸素富化された空気が吐出手段５２から吐出するようになっており、使用者は吐出手段５２を口元にセットすることにより、酸素富化された空気を吸引することが出来るようになっている（例えば、特許文献１参照）。
【特許文献１】登録実用新案第３０９６１１３号公報
【発明の開示】
【発明が解決しようとする課題】
【０００３】
前記従来の酸素富化機は重量物であるポンプ手段５３を内蔵しているためこのポンプ手段５３は本体５０の底壁５０ａに取付けてあり、しかも当該ポンプ手段５３が振動源であるためポンプ手段５３と本体底壁５０ａとは弾性体５５を介して取付けてある。
【０００４】
よって、本体５０を正常の使用状態、すなわちポンプ手段５３の本体５０への取付け部を下にして立設状態で使用する際には問題ないものの本体５０を横に倒して使用すると、前記ポンプ手段５３が大きく振動してこれが本体５０に伝播し、本体が大きく振動する。そのため従来の酸素富化機は必ず本体を正常状態にして使用しなければならないという制約があり、使い勝手が今一歩というものであった。
【０００５】
特に最近になってこの種酸素富化機の認知度が高まり、運動中の使用、勉強時の使用、更には自動車内での使用等々というように、幅広いシーンで使用されることが多くなり、使用上の制約は課題の一つとなりつつある。
【０００６】
本発明はこのような課題を解決したもので、使い勝手の良い酸素富化機の提供を目的としたものである。
【課題を解決するための手段】
【０００７】
前記従来の課題を解決するため本発明は、本体と、この本体内に設けた酸素富化手段及び酸素富化手段からの酸素富化空気を所定個所に供給するポンプ手段とを備え、前記ポンプ手段はその下部とともに側部を防振支持して本体の底板及び側面の少なくとも一面を設置面として使用可能としたものであり、本体を横にして設置しても、或いは本体を持ちながら使用しても、本体が大きく振動するようなことがなくなって違和感なく使用することができる。
【発明の効果】
【０００８】
以上のように本発明によれば縦・横中に設置できて使用形態の制約が少なくなり、使い勝手のよい酸素富化機が提供できる。
【発明を実施するための最良の形態】
【０００９】
第１の発明は、酸素富化手段及び酸素富化手段からの酸素富化空気を所定個所に供給するポンプ手段を内蔵した本体の、本体底板及び本体側方の少なくとも一面を設置面として使用可能な構成としてあり、本体を横にして設置しても使用することが出来て使い勝手が向上する。
【００１０】
第２の発明は、本体と、この本体内に設けた酸素富化手段及び酸素富化手段からの酸素富化空気を所定個所に供給するポンプ手段とを備え、前記ポンプ手段はその下部とともに側部を防振支持して本体の底板及び側面の少なくとも一面を設置面として使用可能としてあり、本体を横にして設置しても、或いは本体を持ちながら使用しても、本体が大きく振動するようなことがなくなって違和感なく使用することができ、使い勝手が向上する。
【００１１】
第３の発明は、上記第２の発明においてポンプ手段の下部はバネ材からなる第１弾性手段と弾性体からなる第２弾性手段とを併用して防振支持した構成としてあり、種類の異なる弾性手段による弾性支持により確実な防振効果が期待でき、本体の振動をより確実に防止できて使用性が向上する。
【００１２】
第４の発明は、上記第３の発明において第１弾性手段又は／及び第２段弾性手段を台板と取付板とで挟んで防振ユニットを構成してあり、ユニット化したことにより組み立て性が向上するものである。
【００１３】
第５の発明は、上記第４の発明において本体の底板に防振ユニットを設置し、この防振ユニット上にポンプ手段を配設した構成としてあり、第４の発明と同様組み立て性が向上するものである。
【００１４】
第６の発明は、上記第１〜第４の発明においてポンプ手段の側部をバネからなる第３弾性手段で防振支持した構成としてあり、第２の発明と同様本体を横にして設置しても、或いは本体を持ちながら使用しても、本体が大きく振動するようなことがなくなって違和感なく使用することができ、使い勝手が向上する。
【００１５】
第７の発明は、上記第６の発明においてポンプ手段を内臓する内装ケースを備え、この内装ケースに開口部を形成し、この開口部より第３弾性手段を挿入してその端部をポンプ手段の側部に圧接させるととも他端を内装ケースに係合させた構成としてあり、ポンプ手段を内装ケース内に設置した後に第３弾性手段を取付けることが出来て、組み立て性が向上するものである。
【００１６】
第８の発明は、上記第２〜第７の発明において本体に外気を吸引して酸素富化手段に供給した後本体外に排気する送風手段を設けると共に、前記本体にはこの外気の吸気口及び排気口を設け、この吸気口及び排気口は前記本体の設置面となる面以外の同一面に設けた構成としてあり、本体設置によって吸・排気口を塞がれる恐れの或る面が一つの面となって設置上の制約が少なくなり、より使い勝手の向上が図れるものである。
【００１７】
第９の発明は、本体と、この本体内に設けた酸素富化手段及び酸素富化手段からの酸素富化空気を所定個所に供給するポンプ手段と、前記本体内に外気を吸引して酸素富化手段に供給した後本体外に排気する送風手段とを備え、前記本体にはこの外気の吸気口及び排気口を設け、この吸気口及び排気口は前記本体側方４面のうちの一面にまとめて設けることにより、本体底板及び本体側方４面のうち３面を設置面として使用可能な構成としたものであり、本体設置によって吸・排気口を塞ぐ恐れの或る面が一つの面となって設置上の制約が少なくなり、使い勝手の向上が図れるものである。
【００１８】
第１０の発明は、上記第１〜第９の発明において本体の適所にストラップ取り付け用の係止部を設けたものであり、この係止部にストラップを取り付け使用者は当該ストラップを肩にかけて例えば歩きながら使用するようなことができ、更に使い勝手が向上する。
【００１９】
第１１の発明は上記第１〜１０の発明において本体に二次電池を設け、交流電源或いは二次電池のいずれかを電源として使用可能な構成としたものであり、二次電池を利用すれば交流電源のない屋外等でも使用することができ、より使い勝手が向上する。
【００２０】
第１２の発明は、上記第１１の発明において二次電池の充電用端子を備えた構成としてあり、例えば自動車の車内でシガライターを電源として充電することが出来るなど更に使い勝手の良いものとなる。
【００２１】
第１３の発明は上記第１から第１２の発明において本体に対して引き出し自在なハンドルを設け、このハンドルと本体との間にシートベルトを通して本体を座席に固定可能な構成としてあり、自動車の車内で使用するときには別途本体の固定手段を準備しなくても本体を固定することが出来、使い勝手が向上する。
【００２２】
以下、本発明の実施の形態について、図面を参照しながら説明する。なお、この実施の形態によって本発明が限定されるものではない。
【００２３】
（実施の形態１）
以下、本発明の第１の実施の形態について図面を用いて説明する。
【００２４】
図１〜図１３において、１は縦長箱状の本体で、図３に示すように前後二つのケース１ａ、１ｂを突合せ結合して構成してあり、底板２にビス止め結合してある。３は上記本体１内に設けた内装ケースで、図６に示すように左右二つのケース３ａ、３ｂを突合せ結合して構成してあり、前記本体１の底板２にビス止めして着脱自在に取付けてある。４は前記本体１の上部開口を覆う天板で、前記内装ケース３にビス止めして着脱自在に取付けてある。
【００２５】
５は前記内装ケース３の下部に内装したベローズポンプ等からなるポンプ手段で、底板２に対して弾性的に取付けてある。すなわち、６は底板２のポンプ手段取付凹部２ａに嵌合設置した台板で、その適所を底板２にビス止めしてある。７は前記ポンプ手段５の底面にビス結合した取付板で、前後左右のコーナ部にコイルバネ等の第１弾性手段８、その中心側寄り部分にゴムのような弾力性を持つ柱状弾性体からなる第２弾性手段９を介して前記台板５に装着してある。ここで前記第２弾性手段９はその上下各端部の円周上に設けた溝９ａを台板５及び取付板７に設けた孔７ａの孔縁に夫々嵌合させて結合してあり、この結合によって台板５と取付板７を連結して図９に示すような防振ユニットＡを構成している。なお、上記台板６及び取付板７の第１弾性手段８を受ける部分にはこれの坐屈防止用の突部等を設けておくのが好ましい。
【００２６】
更に上記ポンプ手段５は内装ケース３に対しても弾性的に支持してある。すなわち１０、１１は前記ポンプ手段５を左・右・前から弾性的に支持する第３弾性手段で、圧縮コイルスプリング等で構成してある。この各第３弾性手段１０、１１はその一端を支持板１２に結合させてあり、他端を前記内装ケース３の左右側面に形成した開口部１３より挿入してポンプ手段５の側面に圧接させた後、開口部周縁の係止部１４に前記支持板１２をスライド係合させることにより内装ケース３に後付け可能となっている。
【００２７】
１５は前記ポンプ手段５の上部に配置した酸素富化手段で、側面の上下方向に渡って設けたパッキン（図示せず）を介して前記内装ケース３に挟持固定されている。この酸素富化手段１５は図１０、１１に示すようにメッシュ構造のフレーム１７の両側面に略長方形の酸素富化膜１８を貼って両膜間を通路としたモジュール１９を、複数枚積層した略直方体のユニット構造となっており、フレーム１７の通路内を吸引することにより、酸素富化膜１８の周辺を流れる空気の一部が酸素富化膜１８を通過してフレーム１７の通路内に入りこみ、酸素富化空気が得られる。得られた酸素富化空気は唯一の出口である排出口２０から前記ポンプ手段５がパイプ２１を介して吸引するようになっている。
【００２８】
なお、上記酸素富化膜１８は有機高分子の平膜より構成され、空気中の窒素に比べ酸素をよく通すため比較的高い酸素濃度のいわゆる酸素富化空気が得られるもので、前記ポンプ手段５による吸引によって通常約２１%の酸素を約３０%に高めた酸素富化空気が得られる。
【００２９】
２２は前記本体１の天板４に開口させた吐出口で、パイプ２３を介して前記ポンプ手段５の出口に接続してあり、ポンプ手段５からの酸素富化空気が吐出するところである。２３は上記パイプ２３の途中に設けた消音器で、通路面積の拡大により消音させている。
【００３０】
２４は前記ポンプ手段５の後部に配置した送風手段で、本体１の後面に設けた吸気口２５から本体外の外気を、当該吸気口２５と対向した内装ケース３内の酸素富化手段１５部分へと取り込み、その後下向きに変流してポンプ手段５を冷却した後に排気口２６より本体外に排気されるようになっている。すなわち、この酸素富化機は内装ケース３内を空気通路として活用している。そして上記酸素富化空気生成用の空気の吸・排気口２５、２６を本体の同一面に設けてある。
【００３１】
２９、３０は前記内装ケース３の酸素富化手段１５を挟持固定している上部分の側面に形成された凹所で、その下部に配置したポンプ手段５より酸素富化手段の幅が狭いことを利用して形成してある。３１は前記凹所の一方２９に配置した制御基板等の制御手段で、前記ポンプ手段５、送風手段２４等を制御するものである。３２は前記凹所の他方３０に着脱自在に装着した充電電池等の二次電池で、前記ポンプ手段５、送風手段２４、制御手段３１等の電源となるものであり、本体１の下部側面に設けた充電兼給電用端子３３を介して充電されるようになっている。この充電兼給電用端子３３は交流を電源としたときの電源端子ともなり、変圧器付の電源コード３４を差し込むことによって交流を電源として利用できるようになっている。すなわち、電源コード３４をコンセントに差し込んだときには交流電源が電源となり、コンセントから外したときには前記二次電池３２が電源となるように前記制御手段３１が切替制御するようになっている。３５は本体１の天板４に設けた運転スイッチで、３６はその運転表示手段、３７は運転時間を設定するタイマースイッチで、例えば３０分、１時間、３時間と言うようにあらかじめ設定した時間運転させることができるようになっており、３８はそのタイマー時間を表示するタイマー表示手段で、前記各表示手段はいずれもＬＥＤやランプ等で構成してある。
【００３２】
４０は本体１の上部に設けた持ち運び用のハンドルで、その把持部４０ａが天板４の上面と面一になるように配置してある。このハンドル４０は略コ字状に形成して把持部４０ａ両側の脚部４０ｂに設けた軸部４０ｃを前記内装ケース３の上部に設けた上下方向の長孔３ｃに貫設することによって上下スライド自在としてあり、かつ、軸部４０ｃを中心に前後方向に回動自在ともなっている。
【００３３】
４１は本体１の上部前後に設けた係止部で、ストラップ（図示せず）を取付けることによって当該本体１を肩掛け状態で使用することが出来るようになっている。
【００３４】
４３は前記本体１の天板４に開口させた吐出口２２に接続して使用する酸素富化空気吐出ユニットで、図１２に示すように柔軟なチューブ４４とその途中に設けた分離可能な結露用容器４５とチューブ先端に設けた吐出口体４６とからなる。この酸素富化空気吐出ユニット４３はチューブ４４を本体天板４の吐出口２２に接続し、他端の吐出口体４６を口元に位置させることによって、酸素富化空気を吸引することができる。この実施例では吐出口体４６をヘッドセット形式としてこれを頭部や首部にセットすることによりマウスピース４７が使用者の口元に対向するようになっており、使用者は両手を自由にしたまま使用することが出来るようになっている。
【００３５】
次に、上記構成に基づく本実施形態の動作について、説明する。
【００３６】
運転スイッチ３５をＯＮ操作すると、ポンプ手段５に動作電源が供給され通電状態を示す運転表示手段３６が点灯するとともに、タイマーで設定した時間に応じてポンプ手段５が運転し、かつ送風手段２４が作動する。そして送風手段２４の作動により本体１に設けた吸気口２５より外気が吸引され、この外気は酸素富化手段１５を通り、排気口２６から本体外に排出される。一方、前記酸素富化手段１５を通る外気はこれを通過する際、送風手段２４の運転により空気が酸素富化手段１５のフレーム１７内に吸引され、酸素富化された空気となる。そしてこの酸素富化空気は吐出口２２に送出され、当該吐出口２２より吐出される。
【００３７】
上記吐出口２２より吐出される酸素富化空気は、チューブ４４を介して吐出ユニット４３の吐出口体４６より吐出される。したがって、使用者は吐出ユニット４３を頭部或いは首部にセットし、吐出口体４６を使用者の口や鼻に近づけることにより、吐出口体４６から吐出される酸素富化空気を、口や鼻から吸引できるようになる。
【００３８】
ここで、上記酸素富化機は通常底板２を机や床面等の設置面において使用する。このような状態で使用しているときには、振動源となるポンプ手段５の振動は第１、第２弾性手段８、９の弾性力で吸収され、本体１への伝播を防止される。従って本体１が振動するようなことはなく、当然のことながら使用者は安心して使用できる。
【００３９】
また、この本体１を倒して横向きに設置して使用することも出来る。この場合には第３弾性手段１０,１１がポンプ手段５を弾性的に支持するるので、この第３弾性手段１０、１１がポンプ手段自体の振動を吸収することになり、この場合も本体１への伝播を防止する。従ってこのように本体１を倒して使用しても本体１が振動するようなことがなくなり、安心して使用することが出来る。また、ポンプ手段５の底板２への取付部やポンプ手段５へのパイプ取付部等に外力が加わるようなことも抑制でき、信頼性の向上が図れる。
【００４０】
ここで、この酸素富化機はその吸・排気口２５、２６が本体１の同一面にまとめて設けてあるので、吸・排気口が別々の面に設けてある場合に比べ設置制約が少なくなる。すなわち、吸・排気口が別々の面に設けてあると、この吸・排気口が設けてある二面を設置面にして使用することが出来なくなる（吸・排気口が設置面によってふさがれて吸排気出来なくなる）が、この酸素富化機では吸・排気口２５、２６がまとめて設けてある一面だけが設置面として使用できないのであり、更に設置制約が少なくなって使い勝手が向上するものである。
【００４１】
以上のようにこの酸素富化機は本体１を縦にしても横に倒しても使用することが出来、使用形態の制約が少なくなって使い勝手が向上する。
【００４２】
また、この酸素富化機はハンドル４０を引き出して手に持ち、或いは、本体１の上部前後に設けた係止部４１にストラップ４２を取付けこのストラップ４２を肩にかけて使用することが出来る。この場合、使用者はウォーキングしたり、或いは、エアロバイク等を用いて運動しながら使用することが出来る。このような時には本体１がぶらぶらして横方向の外力がポンプ手段５に加わることになるが、その際にも上記横方向の外力を第３弾性手段１０、１１が吸収することになって内装ケース３の内壁にポンプ手段５が直接接触するようなことがなくなり、本体１が振動して使用者がこれを異常と感じることを防止することができ、安心して使用することが出来るものである。
【００４３】
以上のようにこの酸素富化機は通常の使用形態に加え本体１横に倒しても使用することができるとともに本体１をぶらぶらさせながらでも安心して使用することができ、使用形態の制約が少なくなって使い勝手が向上すると共に幅広いシーンで使用することが可能となる。
【００４４】
またこの酸素富化機は、相対的に大きく質量の重いポンプ手段５を下方に配置する事により、本体１の安定感が増すと共に、比較的薄型の酸素富化手段１５の両側に生じるデッドスペースを二次電池３２と制御手段３１の配置に利用するので、全体的に薄型に形成することができ、本体の取り扱い，運搬，操作が容易になるものである。
【００４５】
そして、ポンプ手段５及び酸素富化手段１５を内装ケース３に収納している事から部品のユニット化ができ、本体全体の組み立てを容易にするとともに、前記内装ケース３が送風手段２４による空気が通る空気通路を兼ねるので，空気通路用の別部品が不用になり、酸素富化機を安価に形成することができる。
【００４６】
また、上記内装ケース３内の前記送風手段２４により取り入れられた外気で冷やされる酸素富化手段１５の一方に面に、充・放電時に熱を放出する二次電池３２を，他方の面に運転時に熱を発する制御手段３１を配しているので、それらを効率良く冷却でき、二次電池３２の早期劣化を防止し、制御手段３１の信頼性を向上させる事ができるものである。
【００４７】
更に、この酸素富化機は上記した如く電源として交流電源と二次電池３２とを備えているので、交流電源による屋内使用はもちろんのこと、二次電池３２を利用して屋外や自動車の車内等でも使用できる。すなわち、電源コード３４をコンセントから外して運転スイッチ３５をONすると、二次電池３２から電源が供給されて既述したような運転が可能となる。従って散歩しながら酸素富化空気を吸引使用する、或いは車内で酸素富化空気を吸引使用するといったような屋外での使用が可能となる。また、車内で使用しているときには自動車のシガライターを電源として充電用端子３３から電源を取ることができ、更には上記二次電池３２へ充電することもでき、長時間にわたって使用することが出来るものである。
【００４８】
更に上記車内で使用する場合、この酸素富化機は本体１のハンドル４０を引き出し、そのハンドル４０と本体１との間にシートベルトを通して本体１を助手席などに固定することができ、別途固定手段を準備しなくても良いので使い勝手が向上する。また、このように運転しながらあるいは，助手席，後部座席等で酸素富化空気を得るために本体１を運転する際に、シートベルトで，本体１を座席に固定できるので，移動中に本体１が予期しない方向に移動或いは転倒したりする事が無く，安心して，使用することが出来ると共に、本体が車内の床に落下したり、ドアに当たって破損する事もない。
【００４９】
なお、上記実施例ではポンプ手段５を左・右・前の三面を弾性支持するようにしたが、前面を含む４面を弾性支持してもよく、その場合は吸・排気口２５、２６は常識的に設置面とすることのない天面に設ければよい。また、電源コードとして変圧器付のもので説明したが、本体側に変圧器を設けて普通の電源コードを使用することが出来るようにすることもできる。或いは充電兼給電端子は充電専用端子とし、別途電源コードを設ける、或いは当該電源コードを接続する給電口を設けても良い。
【産業上の利用可能性】
【００５０】
以上のように本発明の酸素富化機は使用形態の制約が少ないので、使い勝手が向上し、色々なシーンで使用可能となる有用なものである。
【図面の簡単な説明】
【００５１】
【図１】本発明の実施の形態１における酸素富化機の正面図
【図２】同後面図
【図３】同平面図
【図４】同右側から見た断面図
【図５】同左側から見た断面図
【図６】同後面から見た断面図
【図７】同本体を外したときの内装ケースユニットを左側からみた側面図
【図８】同内装ケースユニットを後側からみた正面図
【図９】（ａ）は同防振ユニットの断面図（ｂ）同下面図
【図１０】同酸素富化手段のモジュールの分解斜視図
【図１１】（ａ）は同酸素富化手段のモジュールを示す分解斜視図（ｂ）同組立時の斜視図
【図１２】同酸素富化空気吐出ユニットの斜視図
【図１３】同酸素富化機を自動車の座席に固定したときの斜視図
【図１４】従来の酸素富化機の断面図
【図１５】同ポンプ取付部の断面図
【符号の説明】
【００５２】
１  本体
２  底板
３  内装ケース
５  ポンプ手段
６  台板
７  取付板
８  第１弾性手段
９  第２弾性手段
１０、１１  第３弾性手段
１５  酸素富化手段
２４  送風手段
２５  吸気口
２６  排気口
３１  制御手段
３２  二次電池
３３  充電用端子（充電兼給電端子）
４０  ハンドル
４１  係止部
４３  酸素富化空気吐出ユニット
４６  吐出口体
【図１】
2005198690.tif 000003
【図２】
2005198690.tif 000004
【図３】
2005198690.tif 000005
【図４】
2005198690.tif 000006
【図５】
2005198690.tif 000007
【図６】
2005198690.tif 000008
【図７】
2005198690.tif 000009
【図８】
2005198690.tif 000010
【図９】
2005198690.tif 000011
【図１０】
2005198690.tif 000012
【図１１】
2005198690.tif 000013
【図１２】
2005198690.tif 000014
【図１３】
2005198690.tif 000015
【図１４】
2005198690.tif 000016
【図１５】
2005198690.tif 000017